【手続補正書】
【提出日】平成24年10月6日(2012.10.6)
【手続補正１】
【補正対象書類名】明細書
【補正対象項目名】０００９
【補正方法】変更
【補正の内容】
【０００９】
側パネル１２の上端部位３０は、ホッチキス止め、接着剤、他の連結手段を含む他の手段によって一体に連結される。図１は、ホッチキス止め４２によって付着された側パネルを示す。また、図４に示すように、一方の側パネルに１つあるいは２つのタブ３８を形成し、他方の側パネルに形成された対応するスロット３６に係合させて、側パネル１２を一体に固定してもよい。
【手続補正２】
【補正対象書類名】明細書
【補正対象項目名】００１２
【補正方法】変更
【補正の内容】
【００１２】
図３Ａに示すように、底パネル１４の下側には接着材料２０を配置することで、所望の位置に一旦置かれたコーンが移動することを防止してもよい。接着材料２０は２つの帯片として適用されるように示されており、それぞれが底パネルの２つのサブパネルに適用される。接着材料は、アスファルト、タール、ブチル材料組成、粘着性のある高分子組成など、いかなる適切な組成であってもよい。取り外し可能な剥離帯片２２が接着帯片２０の上に設けてあり、コーン１０を所望の位置に配置する時の取り外しの便宜を図っている。剥離帯片２２は、底パネル１４が折り畳まれた状態において、２つの接着帯片が一体にくっつくことを防止している。もちろん、接着材料は底パネルの下面の他の位置に設けてもよく、例えば、底部の下面の縁に沿って、底部の下面の中央に、あるいは、底部の下面全体に設けてもよい。もし接着材料を側パネルの下端縁３４に近接した縁部に沿って設ける場合には、接着帯片２０は、図３Bに示すように底部の反対側の端部に設けることで、底パネル１４が折り畳まれた時に接着帯片が互いに重ならないようにする。このようにすることで、折り畳まれたコーンは、帯片同士が重なる場合に比べて薄くなる。このことによって、所与の容量について、より多くのコーンを出荷あるいは収納することができる。接着材料２０に代えてあるいは加えて、底パネルにウェイトを載せることでコーン１０の移動規制を補助してもよい。このようなウェイトは、石や木片のような扱いやすいいかなるものでもよい。また、接着材料２０を用いることは、コーン１０を傾斜面やさらに垂直面や垂直に近い面に装着することができることを意味する。
【手続補正３】
【補正対象書類名】明細書
【補正対象項目名】００１８
【補正方法】変更
【補正の内容】
【００１８】
図１において、帯は水平状に示されている。また、コーンの外面の区画４４、または、コーンの外面全体を、白色あるいは濃淡において十分に明るい色として、犯罪現場番号や他の情報を、Sharpie(登録商標)で販売されているペンのような適切なペンや他の筆記具によってコーン上に記載するようにしてもよい。
【手続補正４】
【補正対象書類名】明細書
【補正対象項目名】００２０
【補正方法】変更
【補正の内容】
【００２０】
また、図１に最もよく示されるように、折り畳み可能コーンの適切な使用についての視覚的インストラクションを設けてもよい。図１に示すように、これに関して、４つのイラストレーション６０、６２、６４、６６が設けてある。イラストレーション６０は、折り畳み可能コーンをどのように展開するかを示している。イラストレーション６２は、剥離帯片を取り除くことが示されている。イラストレーション６４はコーンの底部に圧力をかけて接着材料２０によって底部を表面に固定することを示している。イラストレーション６６は使用が完了した後はコーンを適切に廃棄することが示されている。視覚的イラストレーションに加えて、各イラストレーションに隣接して書面によるインストラクションを設けてもよい。インストラクションは、英語、スペイン語、フランス語等の多言語により記載することができる。このようなインストラクションは、１言語がイラストレーションの上方、他の言語がイラストレーションの下方とすることができる。さらに、イラストレーション６０、６２、６４、６６を側パネル１２の両方に使用してもよく、この場合、一方の側パネルにおけるインストラクションを他方の側パネルにおけるインストラクションとは異なる言語とすることができる。このようにして、折り畳み可能コーンは、実際に世界的に用いることができる。
【手続補正５】
【補正対象書類名】特許請求の範囲
【補正対象項目名】全文
【補正方法】変更
【補正の内容】
【特許請求の範囲】
【請求項１】
折り畳み可能コーンは、
a)  ２つのテーパ付き側パネルであって、１本以上のクリンプ線が側パネルに沿って縦方向に延びている、側パネルと、
b)  底パネルと、を備え、
前記テーパ付き側パネルは上方に向かってテーパが付いており、前記側パネルは下端縁を備えており、前記底パネルは、当該底パネルの中央部位において前記側パネルの下端縁にほぼ平行な方向に延びる折り目を備えており、前記底パネルは前記折り目に沿って折り畳まれる、折り畳み可能コーン。
【請求項２】
前記底パネルは、前記折り目に沿って上方に折り畳まれ、前記底パネルが折り畳まれた時には、折り畳み可能コーンは平面状の形態に実質的に平らになる、請求項１に記載の折り畳み可能コーン。
【請求項３】
前記２つのテーパ付き側パネルは、上端部位を備え、前記上端部位は一体に連結されている、請求項１に記載の折り畳み可能コーン。
【請求項４】
前記上端部位はホッチキス止めあるいは接着される、請求項３に記載の折り畳み可能コーン。
【請求項５】
一方の側パネルの上端部位には１つ以上のタブが形成されており、他方の側パネルの上端部位には１つ以上のタグ受け入れスロットが形成されており、前記１つ以上のタブは前記１つ以上のタブ受け入れスロットに接続するように係合することで前記上端部位同士を連結する、請求項３に記載の折り畳み可能コーン。
【請求項６】
前記２つのテーパ付き側パネルは、上端部位を備え、前記上端部位にはスロットが形成されている、請求項１に記載の折り畳み可能コーン。
【請求項７】
前記２つのテーパ付き側パネルは、上端縁を備え、前記テーパ付き側パネルは、側パネルの上端縁が側パネルの下端縁の１/４から１/2となるようにテーパが付けられている、請求項１に記載の折り畳み可能コーン。
【請求項８】
前記２つのテーパ付き側パネルは、上端縁を備え、前記底パネルの折り目から上端縁までの距離がコーンの高さであり、側パネルの下端縁の幅はコーンの高さの１/3から１/2である、請求項１に記載の折り畳み可能コーン。
【請求項９】
前記折り畳み可能コーンは、紙、プラスチック、繊維から選択された１つあるいは複数の材料から構成される、請求項１に記載の折り畳み可能コーン。
【請求項１０】
前記底パネルは下面を備え、前記底パネルの下面には接着材料が設けられ、所望の位置に置かれたコーンの移動を規制する、請求項１に記載の折り畳み可能コーン。
【請求項１１】
前記接着材料は、コーンが所望の位置に配置される時に取り除かれる取り外し可能な保護帯片によって被覆されている、請求項１０に記載の折り畳み可能コーン。
【請求項１２】
前記側パネルの外面は光反射性である、請求項１に記載の折り畳み可能コーン。
【請求項１３】
前記側パネルの外面には警告の印が印刷されている、請求項１に記載の折り畳み可能コーン。
【請求項１４】
前記側パネルの長さに沿って、当該側パネルの長さを示す印が設けてある、請求項１に記載の折り畳み可能コーン。
【請求項１５】
折り畳み可能コーンは、
a)  ２つのテーパ付き側パネルであって、１本以上の凹み線が側パネルに沿って長手方向に延びており当該側パネルの剛性を確保している、側パネルと、
b)  底パネルと、を備え、
前記２つのテーパ付き側パネルは、上端縁と下端縁とを備え、前記テーパ付き側パネルは、側パネルの上端縁が側パネルの下端縁の１/４から１/2となるように上方に向かってテーパが付けられている、折り畳み可能コーン。
【請求項１６】
前記底パネルは、当該底パネルの中央部位において前記側パネルの下端縁にほぼ平行な方向に延びる折り目を備えており、前記底パネルは前記折り目に沿って折り畳まれる、請求項１５に記載の折り畳み可能コーン。
【請求項１７】
前記底パネルは、前記折り目に沿って上方に折り畳まれ、前記底パネルが折り畳まれた時には、折り畳み可能コーンは平面状の形態に実質的に平らになる、請求項１６に記載の折り畳み可能コーン。
【請求項１８】
前記２つのテーパ付き側パネルは、上端部位を備え、前記上端部位は一体に連結されている、請求項１５に記載の折り畳み可能コーン。
【請求項１９】
前記底パネルは、当該底パネルの中央部位において前記側パネルの下端縁にほぼ平行な方向に延びる折り目を備えており、前記底パネルの折り目から上端縁までの距離がコーンの高さであり、側パネルの下端縁の幅はコーンの高さの１/3から１/2である、請求項１５に記載の折り畳み可能コーン。
【請求項２０】
前記折り畳み可能コーンは、紙、プラスチック、繊維から選択された１つあるいは複数の材料から構成される、請求項１５に記載の折り畳み可能コーン。
【請求項２１】
折り畳み可能コーンは、
a)  ２つのテーパ付き側パネルであって、上方に向かってテーパが付いており、下端縁を備えている、側パネルと、
b)  前記テーパ付き側パネルの下端縁間で延びる底パネルであって、当該底パネルの中央部位において前記側パネルの下端縁にほぼ平行な方向に延びる折り目を備えており、折り目に沿って折り畳み可能である、底パネルと、
c)  所望の位置に一旦置かれた当該コーンが移動することを防止するように前記底パネルの下面に配置された少なくとも第１、第２の接着材料片であって、当該第１、第２の接着材料片は、前記底パネルが折り畳まれた時に当該第１、第２の接着材料片が互いに重ならないように、前記折り目に対して反対の側において前記底パネルの反対側の端部に位置している、接着材料片と、
を備えている、折り畳み可能コーン。
【請求項２２】
１本以上の凹み線が側パネルに沿って長手方向に延びており当該側パネルの剛性を確保している、請求項２１に記載の折り畳み可能コーン。
【手続補正６】
【補正対象書類名】図面
【補正対象項目名】図１
【補正方法】変更
【補正の内容】
【図１】
2011516757.tif 000001
【手続補正７】
【補正対象書類名】図面
【補正対象項目名】図２
【補正方法】変更
【補正の内容】
【図２】
2011516757.tif 000002